(57)【要約】【課題】バリカンヘッドの外面を覆うヘッドケースを備えた電気バリカンにおいて、ヘッドケースを本体ケースに対して強固に接合固定できるようにする。【解決手段】本体ケース１と、駆動ユニット２と、切断刃ユニット３と、切断刃ユニット３の周辺部分を覆い隠すヘッドケース２４とを備えている。ヘッドケース２４は本体ケース１に設けた装着部４３に着脱でき、両者１・２４は、本体ケース１の左右側壁の前端と、本体ケース１の上壁の前端中央との３箇所に設けた凹凸接合部５０を介して接合する。凹凸接合部５０は、本体ケース１とヘッドケース２４との接合線Ｓから、ヘッドケース２４の側へ向かって突出される接合突壁５１・５３と、ヘッドケース２４の側に凹み形成される接合凹部５２・５４とで構成する。【選択図】図１
2005168727.tif 000002
【特許請求の範囲】
【請求項１】
本体ケース（１）と、本体ケース（１）の内部に組み込まれる駆動ユニット（２）と、本体ケース（１）の前部に着脱自在に装着される切断刃ユニット（３）と、本体ケース（１）の前端の装着部（４３）に装着されて、切断刃ユニット（３）の周辺部分を覆い隠すヘッドケース（２４）とを備えており、
ヘッドケース（２４）と本体ケース（１）とが、両者の接合線（Ｓ）の少なくとも一部に設けた凹凸接合部（５０）を介して接合連結してあることを特徴とする電気バリカン。
【請求項２】
凹凸接合部（５０）が、本体ケース（１）の接合線（Ｓ）からヘッドケース（２４）の側へ向かって突出される接合突壁（５１・５３）と、接合突壁（５１・５３）に対応してヘッドケース（２４）の側に凹み形成される接合凹部（５２・５４）とで構成してある請求項１記載の電気バリカン。
【請求項３】
本体ケース（１）の左右側壁の前端に凹凸接合部（５０）が形成されており、
両凹凸接合部（５０）の接合突壁（５１）の面壁に、それぞれ指掛け用の凹部（５５）が凹み形成してある請求項１または２記載の電気バリカン。
【請求項４】
本体ケース（１）の上壁の前端中央に凹凸接合部（５０）が形成されており、
凹凸接合部（５０）が、ヘッドケース（２４）の側へ向かって突出される接合突壁（５３）と、接合突壁（５３）に対応してヘッドケース（２４）の側に凹み形成される接合凹部（５４）とで構成してある請求項３記載の電気バリカン。
【請求項５】
凹凸接合部（５０）における接合突壁（５１・５３）の外形形状が湾曲線状に形成してある請求項２、３または４記載の電気バリカン。
【請求項６】
指掛け用の凹部（５５）が、凹部後端側から接合突壁（５１）の突端側へ向かって下り傾斜する状態で形成されて、接合突壁（５１）の周縁に沿って指掛段部（５６）が形成してある請求項３、４または５記載の電気バリカン。
【請求項７】
接合突壁（５３）を含む本体ケース（１）の上壁外面に化粧パネル（４）が配置されており、
接合突壁（５３）および化粧パネル（４）の周面で接合凹部（５４）を受け止め係合している請求項４、５または６記載の電気バリカン。
【請求項８】
化粧パネル（４）の前部に涙滴状のランド部（５）が膨出形成され、その外面にスイッチノブ（６）が配置されており、
ランド部（５）の後縁に滑り止め用の段部（５７）が形成してある請求項７記載の電気バリカン。
【請求項９】
ヘッドケース（２４）が、上下壁（３８・３９）と左右壁（４０・４１）と含んで筒状に形成されており、ヘッドケース（２４）の前面に、切断刃ユニット（３）を露出させる開口（４２）が斜めに形成してある請求項請求項２から８のいずれかに記載の電気バリカン。
【請求項１０】
本体ケース（１）の前部に固定したヘッド台（１９）に、ヘッドケース（２４）の装着部（４３）と、切断刃ユニット（３）の取付部（３２）とが形成されており、
切断刃ユニット（３）およびヘッドケース（２４）を、ヘッド台（１９）から分離した状態において、バリカンヘッドを開放できる請求項９記載の電気バリカン。
【請求項１１】
ヘッド台（１９）に、左右一対の取付部（３２）と、マウント板（２０）とが設けられており、
左右一対の取付部（３２）が、マウント板（２０）に設けた切欠（３５）で左右から支持してある請求項１０記載の電気バリカン。
【請求項１２】
マウント板（２０）に、切断刃ユニット（３）を使用姿勢に保持固定する一対の捕捉ばね（３３）が設けられており、
装着部（４３）に装着したヘッドケース（２４）で切断刃ユニット（３）の一部を係合保持して、捕捉ばね（３３）とヘッドケース（２４）とが協同して切断刃ユニット（３）を使用姿勢に固定保持している請求項９から１１のいずれかに記載の電気バリカン。
【発明の詳細な説明】
【技術分野】
【０００１】
本発明は、本体ケースの前端に切断ヘッドが着脱可能に装着してある形態の電気バリカンに関する。
【背景技術】
【０００２】
本発明に関して、本体ケースの前端に切断ヘッドを着脱可能に装着する形態の電気バリカンは、特許文献１に公知である。そこでは、固定刃、および可動刃が組み込まれた切断ヘッドを本体ケースに対して着脱可能に装着している。本体ケースの前部左右と、本体ケースの下面後部のそれぞれには、指掛け用の凹部が形成してある。これらの指掛け用凹部は、バリカンの使用形態に応じて指先を本体ケースにフィットさせ、握り締めやすくするために設けられており、片方の指掛け用の凹部にはスイッチノブが設けてある。同様の指掛け構造は特許文献２にもみることができ、そこでは本体ケースの前部左右に、前後に長い防塵用の膨出壁を設け、その後部寄りに内凹み状の滑り止め部を形成している。
【０００３】
本発明の電気バリカンでは、本体ケースと、本体ケースに装着されるヘッドケースとを、湾曲線状の接合線を介して凹凸接合するが、このような接合形態は電気かみそりのケース構造にみることができる（特許文献３）。そこでは、左右一対の側壁を備えたヘッドフレームを本体ケースに対して接合固定するが、フレームの両側壁が涙滴形に形成してあるので、両側壁と本体ケースとは湾曲線状の接合線を介して凹凸接合される。
【０００４】
【特許文献１】特開平１０−１５２６３号公報（段落番号００１４、図１）
【特許文献２】特開２００２−３６９９８２号公報（段落番号００２７、図３）
【特許文献３】特許第２８３８０２６号公報（段落番号００５７、図１５）
【発明の開示】
【発明が解決しようとする課題】
【０００５】
特許文献１の電気バリカンでは、本体ケースから庇状に張り出した壁部分で、切断刃ユニットの上面を覆い隠している。特許文献２の電気バリカンにおいては、本体ケースに固定した上ケースで、切断刃ユニットの上面を覆い隠している。このように本体ケース、あるいは上ケースでバリカンヘッドの上面を覆うと、本体ケース、あるいは上ケースの前後長さが大きくなるので、必然的に成形用金型が大形化する。バリカンヘッド部分を独立部品化した専用のヘッドケースで覆う構造を採用すると、成形用金型を小形化して、本体ケースあるいはヘッドケースを能率よく成形できる。しかし、使用状態における切断刃ユニットの振動を受けて、ヘッドケースが振動し、あるいはがた付くおそれがあるため、独立部品化されたヘッドケースを本体ケースに対して、どうすれば強固に装着固定できるかが問題となる。従来の電気バリカンは、切断ヘッドを取り外した状態において、切断ヘッドの上面がカバー部分で覆われているので、カバー部分の内隅に毛屑が残りやすく、清掃に多くの手間が掛かる点にも改良の余地がある。
【０００６】
本発明の目的は、独立部品化したヘッドケースを本体ケースに対してより強固に接合固定でき、しかも簡単に組み付けることができるようにした電気バリカンを提供することにある。本発明の目的は、従来の電気バリカンに比べて、さらに握りやすくて使いやすい電気バリカンを提供することにある。本発明の目的は、切断ヘッドはもちろんのこと、その周辺部を覆うヘッドケースも本体ケースから簡単に取り外せるようにして、バリカンヘッドの全体を開放でき、したがってバリカンヘッドを隅々まで簡単に清掃することができる電気バリカンを提供することにある。
【課題を解決するための手段】
【０００７】
本発明の電気バリカンは、本体ケース１と、本体ケース１の内部に組み込まれる駆動ユニット２と、本体ケース１の前部に着脱自在に装着される切断刃ユニット３と、本体ケース１の前端の装着部４３に装着されて、切断刃ユニット３の周辺部分を覆い隠すヘッドケース２４とを備えている。ヘッドケース２４と本体ケース１とが、両者の接合線Ｓの少なくとも一部に設けた凹凸接合部５０を介して接合連結してあることを特徴とする（請求項１）。
【０００８】
凹凸接合部５０は、本体ケース１の接合線Ｓからヘッドケース２４の側へ向かって突出される接合突壁５１・５３と、接合突壁５１・５３に対応してヘッドケース２４の側に凹み形成される接合凹部５２・５４とで構成する（請求項２）。
【０００９】
本体ケース１の左右側壁の前端に凹凸接合部５０を形成し、両凹凸接合部５０の接合突壁５１の面壁に、それぞれ指掛け用の凹部５５を凹み形成する（請求項３）。
【００１０】
本体ケース１の上壁の前端中央に凹凸接合部５０を形成する。凹凸接合部５０は、ヘッドケース２４の側へ向かって突出される接合突壁５３と、接合突壁５３に対応してヘッドケース２４の側に凹み形成される接合凹部５４とで構成する（請求項４）。凹凸接合部５０における接合突壁５１・５３の外形形状を湾曲線状に形成する（請求項５）。
【００１１】
指掛け用の凹部５５は、凹部後端側から接合突壁５１の突端側へ向かって下り傾斜する状態で形成する。以て、接合突壁５１の周縁に沿って指掛段部５６を形成する（請求項６）。
【００１２】
接合突壁５３を含む本体ケース１の上壁外面に化粧パネル４を配置する。接合突壁５３および化粧パネル４の周面で接合凹部５４を受け止め係合する（請求項７）。
【００１３】
化粧パネル４の前部に涙滴状のランド部５を膨出形成し、その外面にスイッチノブ６を配置する。ランド部５の後縁に滑り止め用の段部５７を形成する（請求項８）。
【００１４】
ヘッドケース２４は、上下壁３８・３９と左右壁４０・４１と含んで筒状に形成する。ヘッドケース２４の前面に、切断刃ユニット３を露出させる開口４２を斜めに形成する（請求項９）。
【００１５】
本体ケース１の前部に固定したヘッド台１９に、ヘッドケース２４の装着部４３と、切断刃ユニット３の取付部３２とを形成する。切断刃ユニット３およびヘッドケース２４をヘッド台１９から分離した状態において、バリカンヘッドを開放できるようにする（請求項１０）。
【００１６】
ヘッド台１９に、左右一対の取付部３２と、マウント板２０とを設ける。左右一対の取付部３２を、マウント板２０に設けた切欠３５で左右から支持する（請求項１１）。
【００１７】
マウント板２０に、切断刃ユニット３を使用姿勢に保持固定する一対の捕捉ばね３３を設ける。装着部４３に装着したヘッドケース２４で切断刃ユニット３の一部を係合保持して、捕捉ばね３３とヘッドケース２４とが協同して切断刃ユニット３を使用姿勢に固定保持できるようにする（請求項１２）。
【発明の効果】
【００１８】
本発明では、本体ケース１の装着部４３に装着したヘッドケース２４で、切断刃ユニット３の周辺部分を覆い隠すことにより、毛屑などが切断刃ユニット３やその駆動部分に入り込むのを防止できるようにした。そのうえで、ヘッドケース２４と本体ケース１との接合線Ｓの少なくとも一部に凹凸接合部５０を設けて、電気バリカンの使用時にヘッドケース２４に作用する振動を、互い違い状に係合する凹凸接合部５０で受け止めて分散させるので、装着部４３に装着したヘッドケース２４が振動を受けてがた付くのをよく防止できる。凹凸接合部５０を目印にしてヘッドケース２４を本体ケース１に接合装着することにより、ヘッドケース２４を常に適正に接合装着できる利点もある（請求項１）。
【００１９】
本体ケース１とヘッドケース２４との接合線Ｓを位置基準にして、接合線Ｓからヘッドケース２４側へ突出する接合突壁５１・５３と、ヘッドケース２４の側に凹み形成される接合凹部５２・５４とで凹凸接合部５０を構成すると、接合凹部５２・５４を本体ケース１側に凹み形成する場合に避けられないケース強度の低下がない。しかも、床面に落下するなどによって、ヘッドケース２４に大きな外力や衝撃が作用することがあっても、これらの外力を本体ケース１に連続する接合突壁５１・５３で受け止めて、構造強度が大きな本体ケース１側へ逃がすことができるので、落下衝撃に伴うヘッドケース２４の装着姿勢の歪みや、装着部４３からの分離をよく防止できる。（請求項２）。
【００２０】
本体ケース１の左右側壁のそれぞれに凹凸接合部５０を形成した電気バリカンによれば、ヘッドケース２４の左右壁４０・４１を一対の凹凸接合部５０で受け止めることができるので、装着部４３に装着したヘッドケース２４をさらに確実に保持固定してそのがた付きを防止できる。両凹凸接合部５０の接合突壁５１の面壁に、それぞれ指掛け用の凹部５５を凹み形成すると、電気バリカンを片手で握った状態において、親指と人差指の指頭を左右の凹部５５にあてがった状態で電気バリカンを支持することにより、親指と人差指を支点にして電気バリカンの全体姿勢を上下に傾動できるので、例えば頭皮に沿った髪切断を簡便に行えるなど、電気バリカンの操作性を向上できる（請求項３）。
【００２１】
本体ケース１の左右側壁の凹凸接合部５０に加えて、本体ケース１の上壁側に凹凸接合部５０を形成した電気バリカンによれば、３個所に設けた凹凸接合部５０でヘッドケース２４の動きを上下、および左右に規制するので、振動をさらに効果的に分散させてヘッドケース２４のがた付きを確実に防止でき、落下衝撃を受ける場合のヘッドケース２４の装着姿勢の歪みや分離も確実に阻止できる。左右側壁４０・４１、および上壁３８の３個所を凹凸接合部５０で係合捕捉するので、ヘッドケース２４を本体ケース１に対して強固に連結できる。本体ケース１の上壁側に設けた凹凸接合部５０を目印にして、ヘッドケース２４を装着部４３に装着できるので、ヘッドケース２４の装着方向を間違えることがない（請求項４）。
【００２２】
凹凸接合部５０における接合突壁５１・５３の外形形状を湾曲線状に形成すると、湾曲線の周囲全方位の振動を均等に分散できるので、例えば接合突壁５１・５３を矩形状に形成する場合に比べて、切断刃ユニット３の往復振動に伴うヘッドケース２４の振動やがた付きを効果的に解消できる。（請求項５）。
【００２３】
指掛け用の凹部５５を接合突壁５１の突端側へ向かって下り傾斜状に形成して、接合突壁５１の周縁に沿って指掛段部５６を形成すると、凹部５５にあてがった指先を指掛段部５６で受け止めて、指先が凹部５５からはみ出るのを防止でき、したがって、電気バリカンの使用時に、指先を凹部５５によって特定される好適な使用位置に常にフィットさせることができる（請求項６）。
【００２４】
接合突壁５３を含む本体ケース１の上壁外面に化粧パネル４を配置して、接合突壁５３と化粧パネル４の周面で接合凹部５４を受け止め係合する凹凸接合部５０によれば、接合突壁５３と化粧パネル４との協同作用によってヘッドケース２４の動きを規制できるので、振動規制作用をさらに向上できるうえ、ヘッドケース２４に大きな外力が作用する場合であっても、ヘッドケース２４の装着姿勢の歪みや、装着部４３からの分離をよく防止できる（請求項７）。
【００２５】
化粧パネル４の前部に涙滴状のランド部５を膨出形成し、その外面にスイッチノブ６を配置したうえで、ランド部５の後縁に滑り止め用の段部５７を形成すると、スイッチノブ６が配置されるランド部５と化粧パネル４の他の表面とを明確に区別できるうえ、段部５７で指先を受け止めて、指先の不用意な移動を規制できるので、誤ってスイッチノブ６を操作してしまうのを抑止できる（請求項８）。
【００２６】
上下壁３８・３９と左右壁４０・４１と含んでヘッドケース２４を筒状に形成すると、ヘッドケース２４の構造強度を増強できるうえ、ヘッドケース２４を構成する筒壁の全体を装着部４３に嵌合させることにより、ヘッドケース２４を本体ケース１に対してより強固に連結できる。ヘッドケース２４の前面に斜めの開口４２を設けて、この開口４２から切断刃ユニット３を露出させると、必要に応じて切断刃ユニット３を開放揺動して、毛屑の清掃や注油などの手入れを簡便に行える（請求項９）。
【００２７】
本体ケース１の前部に固定したヘッド台１９に、ヘッドケース２４の装着部４３と、切断刃ユニット３の取付部３２とを形成しておき、切断刃ユニット３およびヘッドケース２４をヘッド台１９から分離した状態において、バリカンヘッドを開放できるようにした電気バリカンによれば、ヘッド台１９から取り外した切断刃ユニット３やヘッドケース２４の清掃を簡便に行えるのはもちろん、ヘッド台１９、マウント板２０、および駆動軸１８などに付着した毛屑を余すところなく除去して、バリカンヘッドを常に清潔な状態に維持できる（請求項１０）。
【００２８】
ヘッド台１９に設けた左右一対の取付部３２を、マウント板２０に設けた切欠３５で左右から支持すると、切断刃ユニット３が落下衝撃を受けるような場合に、取付部３２が外側方へ変形するのをマウント板２０で規制して、軸部３１と取付部３２との係合が解除されるのを規制でき、したがって落下衝撃に伴う切断刃ユニット３の脱落を確実に防止できる（請求項１１）。
【００２９】
マウント板２０に設けた捕捉ばね３３で切断刃ユニット３を使用姿勢に保持固定し、さらにヘッドケース２４で切断刃ユニット３の一部を係合保持して、捕捉ばね３３とヘッドケース２４とが協同して切断刃ユニット３を使用姿勢に固定保持する電気バリカンによれば、ヘッドケース２４を装着部４３から取り外すことにより、切断刃ユニット３を含むバリカンヘッドの全体を開放できるので、切断刃ユニット３を駆動しながら毛屑を洗い流すことができる。ヘッドケース２４を外さない限りは、切断刃ユニット３を開放揺動できないので、落下衝撃に伴う切断刃ユニット３の開放揺動を確実に阻止できる（請求項１２）。
【発明を実施するための最良の形態】
【００３０】
図１ないし図８は本発明に係る電気バリカンの実施例を示す。図１ないし図４において電気バリカンはプラスチック成形品からなる有底筒状の本体ケース１と、本体ケース１に組み込まれる駆動ユニット２と、本体ケース１の前部に着脱自在に装着される切断刃ユニット３などで構成する。本体ケース１の上面には、前後に長い化粧パネル４が嵌め込み装着してあり、その前部に涙滴形のランド部５を膨出形成し、ランド部５の後寄りに電源スイッチをオン、オフ操作するためのスイッチノブ６を設けている。符号７は表示窓である。
【００３１】
図３および図４において、駆動ユニット２の殆どは、本体ケース１の内部に収容される電装品部で占められており、その前部に切断刃ユニット３を駆動するための駆動機構が組み込んである。電装品部は、プラスチック成形された枠状のホルダー９に、モーター１０と、２個の２次電池１１と、制御回路が実装されたプリント基板１２などを組み付けて一体化してあり、これらのユニットは、ケース底壁の下面側からねじ込まれる２個のビスで本体ケース１に締結固定される。プリント基板１２には、先のスイッチノブ６で切り換え操作される電源スイッチ１３や、充電時に点灯する発光ダイオード１４などが組み付けてある。
【００３２】
図５および図６においてモーター１０の回転動力は、偏心カム１６と振動子１７を介して往復動力に変換され、振動子１７に設けた駆動軸１８を介して切断刃ユニット３に出力される。これらの駆動機構を支持し保護するために、ホルダー９の前部に容器状のヘッド台１９を配置する。ヘッド台１９は、その前面に配置したマウント板２０とともにホルダー９に締結固定する。駆動軸１８とヘッド台１９との間は成形パッキン２１（図４参照）でシールされ、ヘッド台１９と本体ケース１との間はシールリング２２（図６参照）でシールされている。全体を水洗い可能とするためである。マウント板２０は成形パッキン２１用の押え板を兼ねている。
【００３３】
図４、図５、図６において、切断刃ユニット３は、プラスチック成形品からなる刃ホルダー２５と、刃ホルダー２５の内面側に固定される固定刃２６と、固定刃２６の内面に接合される可動刃２７と、可動刃２７を固定刃２６に向かって押し付ける押えばね２８などで構成する。可動刃２７には受動ピース２９が一体に設けてあり、その後端中央に駆動軸１８用の連結凹部３０が形成してある（図４参照）。
【００３４】
刃ホルダー２５の後端に設けた軸部３１を、ヘッド台１９に設けた左右一対のブラケット（取付部）３２に圧嵌係合することにより、切断刃ユニット３は駆動ユニット２に連結され、軸部３１を中心にして図６に示す使用姿勢と、図７に示す開放姿勢とに揺動変位できる。マウント板２０に設けた一対の捕捉ばね３３で刃ホルダー２５の係合突起３４を係合捕捉することにより、切断刃ユニット３は使用姿勢に保持固定され、この状態において駆動軸１８と連結凹部３０とが係合連結して、往復動力を可動刃２７に伝えることができる。
【００３５】
図８に示すように、ヘッド台１９のブラケット３２の基端両側は、マウント板２０に形成したコ字状の切欠３５で左右から支持してある。落下衝撃を受けるような場合に、ブラケット３２が外側方へ変形するのを規制して、切断刃ユニット３がブラケット３２から脱落するのを防ぐためである。
【００３６】
切断刃ユニット３および駆動機構の周辺を覆い隠して、毛屑などが駆動部分に詰まるのを避けるために、切断刃ユニット３の周辺をヘッドケース２４で覆っている。図３および図４においてヘッドケース２４は、上壁３８、および下壁３９と、左右壁４０・４１とを備えた、前後面が開口する筒状のプラスチック成形品からなり、その前側に切断刃ユニット３をヘッドケース２４の前面に露出させる開口４２が斜めに傾く状態で形成してある。
【００３７】
ヘッドケース２４は本体ケース１に対して嵌合装着する。詳しくは、本体ケース１から露出するヘッド台１９の周囲壁を装着部４３にして、そこにヘッドケース２４の後端開口を外嵌装着する。ヘッドケース２４の装着状態を維持するために、装着部４３の下面壁と左右側壁のそれぞれに係合凹部４４を設け、ヘッドケース２４の下壁３９および左右壁４０・４１の内面のそれぞれに、係合凹部４４に落とし込み係合する係合爪４５を形成している。ヘッドケース２４を本体ケース１に装着した状態においては、図８に示すように、その下壁３９が装着部４３に設けた切断刃ユニット３用のブラケット３２の外面を覆って保護しているので、例えば落下衝撃がブラケット３２に直接作用するのを解消して、ブラケット３２の破損や、切断刃ユニット３脱落などを確実に防止できる。
【００３８】
バリカンヘッドの清掃を行う場合には、ヘッドケース２４を装着部４３に装着した状態のままで、切断刃ユニット３のみをヘッド台１９から分離するが、必要があればヘッドケース２４も分離することができる。切断刃ユニット３とヘッドケース２４を取り外した状態では、バリカンヘッドの全体が開放されるので、切断刃ユニット３およびヘッドケース２４に付着した毛屑を容易に清掃し除去できるのはもちろん、駆動軸１８、ヘッド台１９、あるいはマウント板２０等の表面に付着した毛屑を、余すところなく確実に除去できる。
【００３９】
本発明は、上記のような電気バリカンにおいて、本体ケース１とヘッドケース２４との接合構造を以下のように構成する。図１および図２において本体ケース１とヘッドケース２４とは、基本的にランド部５の前部を横切る接合線Ｓを介して接合するが、本体ケース１の左右側壁と、上壁の前端中央との３箇所に凹凸接合部５０を設けて本体ケース１とヘッドケース２４とを互い違い状に接合する。
【００４０】
左右側壁における凹凸接合部５０は、本体ケース１の側からヘッドケース２４へ向かって突出される半楕円状の接合突壁５１と、接合突壁５１に対応してヘッドケース２４の側に凹み形成される接合凹部５２とで構成する。上壁に形成される凹凸接合部５０は、本体ケース１の側からヘッドケース２４へ向かって突出される部分円弧状の接合突壁５３と、接合突壁５３に対応してヘッドケース２４の側に凹み形成される接合凹部５４とで構成する。
【００４１】
左右の接合突壁５１を利用して、その面壁に涙敵形状の凹部５５を凹み形成して指掛けとしている。図５に示すように凹部５５は、その凹み深さが凹部後端側から接合突壁５１の突端側へ向かって徐々に深くなるように下り傾斜させてあり、これにより接合突壁５１の周縁に沿って半楕円状の指止段部５６が形成される。使用状態において、親指と人差指の指頭を左右の凹部５５にあてがった状態で電気バリカンを支持すると、親指と人差指を支点にして電気バリカンの全体姿勢を上下に傾動できるので、頭皮に沿った髪切断を簡便に行える。
【００４２】
上壁に形成される接合突壁５３を含む本体ケース１の上面は、先に説明した化粧パネル４で覆われており、図６に示すように接合突壁５３の外面はランド部５によって覆われている。そのため、上壁の凹凸接合部５０においては、接合突壁５３とランド部５の円弧周面でヘッドケース２４の接合凹部５４を受け止めている。ランド部５後縁には、滑止め用の段部５７が形成してある。図１において、ランド部５と対向する本体ケース１の下面側には指掛け用の凹部５８が凹み形成してある。
【００４３】
以上のように、３箇所に設けた凹凸接合部５０を介して本体ケース１とヘッドケース２４とを互い違い状に接合すると、電気バリカンを使用するとき、ヘッドケース２４に作用する振動を、接合突壁５１・５３と接合凹部５２・５４の接合部で受け止めて分散させることができるので、係合凹部４４および係合爪４５に振動負荷が集中するのを阻止して、両者４４・４５の係合関係が緩くなるのを防止し、ヘッドケース２４ががた付くのを長期にわたって確実に防止できる。
【００４４】
図９は装着部４３の別実施例を示す。そこでは、ヘッドケース２４の左右の接合凹部５２の内面に受壁６０を設け、その上下に係合凹部６１を形成する。さらに、本体ケース１の接合突壁５１の内面に、係合凹部６１と係合する一対の係合突起６２を設けて、接合突壁５１と接合凹部５２とが互いに接合し、さらに係合凹部６１と係合突起６２とが係合しあうことにより、ヘッドケース２４の装着状態を維持できるようにした。つまり、この実施例では接合突壁５１を利用して装着部４３を構成した。他は先の実施例と同じであるので、同じ部材に同じ符号を付してその説明を省略する。いかの実施例においても同様に扱う。
【００４５】
図１０はヘッドケース２４の別実施例を示す。そこでは、ヘッドケース２４を装着部４３に装着した状態において、ヘッドケース２４で切断刃ユニット３を開放揺動不能に保持固定できるようにした。詳しくは、ヘッドケース２４の下壁３９の前部に、刃ホルダー２５を外面から押え保持する前壁６４を一体に形成し、前壁６４と係合する凹部６５を刃ホルダー２５に形成した。この実施例では、ヘッドケース２４を装着部４３から取り外すだけで、切断刃ユニット３を含むバリカンヘッドを開放できるので、切断刃ユニット３を駆動しながら毛屑を洗い流すことができる。
【００４６】
上記の実施例以外に、ヘッドケース２４は筒構造であることが好ましいが、前後長さが短い下壁３９を省略して、断面Ｃ字状に形成することができる。接合突壁５１・５３、および接合凹部５２・５４は、湾曲線状に形成することが好ましいが、必要があればコ字状や、台形状など角張った形状に形成することができる。凹凸接合部５０は、実施例で説明したように複数箇所に設けることが好ましいが、接合線Ｓの少なくとも１個所に設けてあればよい。ヘッドケース２４は、本体ケース１やヘッド台１９にビスで分離不能に締結固定することができ、あるいはヘッドケース２４を装着部４３に対して分離不能に嵌合装着することができる。
【図面の簡単な説明】
【００４７】
【図１】電気バリカンの側面図である。
【図２】電気バリカンの平面図である。
【図３】電気バリカンの分解断面図である。
【図４】電気バリカンの分解斜視図である。
【図５】本体ケースの内部構造を示す横断平面図である。
【図６】バリカンヘッドの縦断側面図である。
【図７】切断刃ユニットを開放揺動した状態の縦断側面図である。
【図８】図６におけるＡ−Ａ線断面図である。
【図９】装着部の別実施例を示す斜視図である。
【図１０】ヘッドケースの別実施例を示す断面図である。
【符号の説明】
【００４８】
１  本体ケース
２  駆動ユニット
３  切断刃ユニット
２４  ヘッドケース
４３  装着部
５０  凹凸接合部
５１  接合突壁
５２  接合凹部
５３  接合突壁
５４  接合凹部
【図１】
2005168727.tif 000003
【図２】
2005168727.tif 000004
【図３】
2005168727.tif 000005
【図４】
2005168727.tif 000006
【図５】
2005168727.tif 000007
【図６】
2005168727.tif 000008
【図７】
2005168727.tif 000009
【図８】
2005168727.tif 000010
【図９】
2005168727.tif 000011
【図１０】
2005168727.tif 000012